(57)【特許請求の範囲】
【請求項１】
下記一般式（Ｉ）で表される化合物。
一般式（Ｉ）
【化１】
0003934183.tif 000011
式中、Ｒ1 、Ｒ2 、Ｒ3 、Ｒ4 のうち少なくとも一つは炭素数１〜２０のチオアルキル基、炭素数２から２０のチオエーテル基またはＲ1 とＲ2 、もしくはＲ3 とＲ4 はそれぞれ同士で、炭素数２〜２０のチオエーテル環を形成するものである。その他の基は水素原子、アルキル基、アリール基または複素環基である。これらの水素原子以外の基は置換基を有していてもよい。Ｌ1 、Ｌ2 、Ｌ3 は各々無置換メチン基を表す。ｎは１から４の整数を表す。Ｘ1 は電荷均衡対イオンを表し、ｋ1 は分子の電荷を中和するのに必要な０以上１０以下の数を表す。
【請求項２】
下記一般式（II）で表される化合物。
一般式（II）
【化２】
0003934183.tif 000012
式中、Ｐ1 は炭素数２〜２０のアルキレン基であり、置換基を有していてもよい。Ｐ2 、Ｐ3 は水素原子、アルキル基、アリール基、アルコキシ基、アリールオキシ基または複素環基であり、これらの水素原子以外の基は置換基を有していてもよく、Ｐ2 とＰ3 は連結して環を形成しても良い。Ｒ5 、Ｒ6 は水素原子、アルキル基、アリール基または複素環基であり、これらの水素原子以外の基は置換基を有していてもよく、Ｒ5 とＲ6 は同士で、炭素数１〜２０のチオエーテル環を形成してもよい。ｍは１から４の整数を表す。Ｌ4 、Ｌ5 、Ｌ6 は各々無置換メチン基を表す。Ｘ2 は電荷均衡対イオンを表し、k2は分子の電荷を中和するのに必要な０以上１０以下の数を表す。
【請求項３】
下記一般式（III）で表される化合物。
一般式（III）
【化３】
0003934183.tif 000013
式中、Ｐ4 、Ｐ5 は炭素数２〜２０のアルキレン基であり、置換基を有していてもよい。Ｒ7 、Ｒ8 は水素原子、アルキル基、アリール基または複素環基であり、これらの水素原子以外の基は置換基を有していてもよく、Ｒ7 とＲ8 は同士で、炭素数２〜２０のチオエーテル環を形成してもよい。ｌは１から４の整数を表す。Ｌ7 、Ｌ8 、Ｌ9 は各々無置換メチン基を表す。Ｘ3 は電荷均衡対イオンを表し、ｋ3 は分子の電荷を中和するのに必要な０以上１０以下の数を表す。
【請求項４】
請求項１、２、３に記載の一般式（Ｉ）、（II） または（III）で示される化合物を含むハロゲン化銀乳剤。
【発明の詳細な説明】
【０００１】
【発明の属する技術分野】
本発明は写真用増感色素、染料、機能性材料用色素、顔料あるいは医薬品に用いられる新規なメチン化合物に関する。
【０００２】
【従来の技術】
ストレプトシアニン色素は写真用増感色素、染料、機能性材料用色素、顔料あるいは医薬品として重要である。しかしまだその種類は少なく新規なストレプトシアニン色素が望まれていた。またこれまでのストレプトシアニン色素は写真用増感色素として用いる場合の写真感度が低く、この点を改良した化合物が望まれていた。
【０００３】
【発明が解決しようとする課題】
本発明の課題は、写真用増感色素、染料、機能性材料用色素、顔料あるいは医薬品等に用いられる新規なメチン化合物を提供することである。
【０００４】
【課題を解決するための手段】
上記課題は下記一般式（Ｉ）で示される化合物（メチン化合物）によって解決された。
【０００５】
【化４】
0003934183.tif 000002
【０００６】
式中、Ｒ1 、Ｒ2 、Ｒ3 、Ｒ4 のうち少なくとも一つは炭素数１〜２０のチオアルキル基、炭素数２から２０のチオエーテル基またはＲ1 とＲ2 、もしくはＲ3 とＲ4 はそれぞれ同士で、炭素数１〜２０のチオエーテル環を形成するものであり、その他の基は水素原子、アルキル基、アリール基または複素環基である。これらの水素原子以外の基は置換基を有していてもよい。Ｌ1 、Ｌ2 、Ｌ3 は各々無置換メチン基を表す。ｎは１から４の整数を表す。Ｘ1 は電荷均衡対イオンを表し、ｋ1 は分子の電荷を中和するのに必要な０以上１０以下の数を表す。
【０００７】
好ましくは下記一般式（II）で表される化合物（ストレプトシアニン色素）である。
【０００８】
【化５】
0003934183.tif 000003
【０００９】
式中、Ｐ1 は炭素数２〜２０のアルキレン基であり、置換基を有していてもよい。Ｐ2 、Ｐ3 は水素原子、アルキル基、アリール基または複素環基であり、これらの水素原子以外の基は置換基を有していてもよく、Ｐ2 とＰ3 は連結して環を形成しても良い。Ｒ5 、Ｒ6 は水素原子、アルキル基、アリール基または複素環基であり、これらの水素原子以外の基は置換基を有していてもよく、Ｒ5 とＲ6 は同士で、炭素数２〜２０のチオエーテル環を形成してもよい。ｍは１から４の整数を表す。Ｌ4 、Ｌ5 、Ｌ6 は各々無置換メチン基を表す。Ｘ2 は電荷均衡対イオンを表し、k2は分子の電荷を中和するのに必要な０以上１０以下の数を表す。
【００１０】
さらに特に好ましくは下記一般式（III)で表される化合物（ストレプトシアニン色素）である。
【００１１】
【化６】
0003934183.tif 000004
【００１２】
式中、Ｐ4 、Ｐ5 は炭素数２〜２０のアルキレン基であり、置換基を有していてもよい。Ｒ7 、Ｒ8 は水素原子、アルキル基、アリール基または複素環基であり、これらの水素原子以外の基は置換基を有していてもよく、Ｒ7 とＲ8 は同士で、炭素数２〜２０のチオエーテル環を形成してもよい。ｌは１から４の整数を表す。Ｌ7 、Ｌ8 、Ｌ9 は各々無置換メチン基を表す。Ｘ3 は電荷均衡対イオンを表し、ｋ3 は分子の電荷を中和するのに必要な０以上１０以下の数を表す。
【００１３】
さらに上記課題は一般式（Ｉ）、（II）、（III)で示されるメチン化合物を含むハロゲン化銀乳剤によって解決された。
【００１４】
【発明の実施形態】以下、一般式（Ｉ）、（II）及び（III）で表されるストレプトシアニン色素について詳細に述べる。Ｒ1 、Ｒ2 、Ｒ3 、Ｒ4 、Ｒ5 、Ｒ6 、Ｒ7 、Ｒ8 としては各々水素原子、アルキル基例えば炭素数１〜２０のアルキル基｛例えば、メチル、エチル、ｎ−プロピル、ｎ−ブチル、ｎ−ペンチル、ｎ−ヘキシル、ｎ−ヘプチル、ｎ−ノニル、ｉ−プロピル、ｉ−ブチル、ｉ−ペンチル、ｔ−ブチルなどであり、置換されていてもよい。置換基としては例えばアルキルチオ基（たとえばメチルチオ基、エチルチオ基）、アリールチオ基（たとえばフェニルチオ基）、ハロゲン原子（例えば、塩素原子、臭素原子、ヨウ素原子、フッ素原子）、ニトロ基、アルコキシ基（例えば、メトキシ、エトキシ）、アリール基（例えば、フェニル）、アリーロキシ基（例えば、フェノキシ）、アミド基、カルバモイル基、スルホ基、ヒドロキシ基、カルボキシ基、シアノ基などが挙げられる。以下、これらを置換基群Ｘという。｝及びアリール基例えば炭素数６〜２０のアリール基（例えば、フェニル、チエニル、１−ナフチル、２−ナフチルなどであり、置換されていてもよい。置換基としては上記の置換基群Ｘが挙げられる。）、複素環基例えば炭素数６〜２０の複素環基（たとえば、２−チエニル基、２−ピリジル基、２−フラニル基、バルビツール酸基、ベンズチアゾール核、ベンズオキサゾール核、ベンゾセレナゾール核、ベンゾテルラゾール核、キノリン核、ベンズイミダゾール核、インドリン核、オキサジアゾール核、チアゾール核、イミダゾール核などが挙げられる。）である。またＲ1 とＲ2 、Ｒ3 とＲ4、Ｒ５ とＲ６ 、Ｒ７ とＲ８ はそれぞれ環を形成してもよい。環は４員環、５員環、６員環、７員環などであり、環の中にヘテロ原子（例えば、酸素原子、硫黄原子、窒素原子）、アリール基（例えば、１，２−フェニレン、１，３−フェニレン、１，４−フェニレン、１，２−ナフチレン）、複素環（例えば、２，３−ピリジレン）などが存在していてもよい。Ｒ1 、Ｒ2 、Ｒ3 及びＲ4 のうちその他の基として好ましくは、無置換のアルキル基、環状のアルキル基及びアリール基であり、特に好ましくは環状のアルキル基である。またＲ1 、Ｒ2 、Ｒ3 、Ｒ4 のうちの少なくとも一つは炭素数１から２０のチオアルキル基（例えばメチルチオ基、エチルチオ基）、炭素数２から２０のチオエーテル基（例えばジメチルチオエーテル基、メチルエチルチオエーテル基）または、Ｒ1 とＲ2 もしくはＲ3 とＲ4（Ｒ５ とＲ６ 、Ｒ７ とＲ８） で炭素数２から２０のチオエーテル環を形成するもので、好ましくはＲ1 とＲ2 もしくはＲ3 とＲ4 （Ｒ５ とＲ６ 、Ｒ７ とＲ８） で炭素数２から２０のチオエーテル環を形成するものであり、最も好ましくはＲ1 とＲ2もしくはＲ3 とＲ4 （Ｒ５ とＲ６ 、Ｒ７ とＲ８） で炭素数３から５のチオエーテル環を形成するものである。
【００１５】
Ｌ1 、Ｌ2 、Ｌ3 、Ｌ4 、Ｌ5 、Ｌ6 、Ｌ7 、Ｌ8 及びＬ9は、各々無置換のメチン基である。
【００１６】
Ｐ1 、Ｐ4 、Ｐ5 は炭素数２〜２０のアルキレン基｛例えば、エチレン、プロピレン、ブチレン、１−メチルエチレン、２−メチルプロピレンなどであり、置換されていてもよい。置換基としては上記の置換基群Ｘが挙げられる。アルキレン基の間にヘテロ原子（例えば、酸素原子、硫黄原子、窒素原子）、アリール基（例えば、１，２−フェニレン、１，３−フェニレン、１，４−フェニレン、１，２−ナフチレン）、複素環（例えば、２，３−ピリジレン）などが存在していてもよい。｝であり、特に好ましくはエチレン基である。
【００１７】
Ｐ2 、Ｐ3 は水素原子またはアルキル基例えば、炭素数１〜２０のアルキル基｛例えば、メチル、エチル、ｎ−プロピル、ｎ−ブチル、ｎ−ペンチル、ｎ−ヘキシル、ｎ−ヘプチル、ｎ−ノニル、ｉ−プロピル、ｉ−ブチル、ｉ−ペンチル、ｔ−ブチルなどであり、置換されていてもよい。置換基としては上記の置換基群Ｘが挙げられる。｝、アリール基例えば、炭素数３〜２０のアリール基（例えば、フェニル、チエニル、１−ナフチル、２−ナフチルなどであり、置換されていてもよい。置換基としては上記の置換基群Ｘが挙げられる。）、アルコキシ基例えば、炭素数１〜２０のアルコキシ基（たとえば、メトキシ、エトキシなどであり、置換されていてもよい。置換基としては上記の置換基群Ｘが挙げられる。）、アリールオキシ基例えば、炭素数６〜２０のアリールオキシ基（たとえば、フェノキシなどであり、置換されていてもよい。置換基としては上記の置換基群Ｘが挙げられる。）、複素環基例えば、炭素数３〜２０の複素環基（たとえば、２−チエニル基、２−ピリジル基、２−フラニル基、バルビツール酸基、ベンズチアゾール核、ベンズオキサゾール核、ベンゾセレナゾール核、ベンゾテルラゾール核、キノリン核、ベンズイミダゾール核、インドリン核、オキサジアゾール核、チアゾール核、イミダゾール核などが挙げられる。）である。またＰ2 とＰ3 は環を形成してもよい。環は４員環、５員環、６員環、７員環などであり、環の中にヘテロ原子（例えば、酸素原子、硫黄原子、窒素原子）、アリール基（例えば、１，２−フェニレン、１，３−フェニレン、１，４−フェニレン、１，２−ナフチレン）、複素環（例えば、２，３−ピリジレン）などが存在していてもよい。またＰ2 とＰ3 は互いに連結して環構造を形成しても良く、そのときのＰ2 、Ｐ3 の例として上述の連結基群Ｙが挙げられる。Ｐ2 、Ｐ3 として好ましくは、無置換のアルキル基、アリール基およびアルキレン基であり、特に好ましくはアルキレン基である。
【００１８】
ｎ、ｍ及びｌは１、２、３または４であり、好ましくは１、２、３である。
【００１９】
Ｘ1 、Ｘ2 、Ｘ3 は電荷中和イオンを表す。ある化合物が陽イオン、陰イオンであるか、あるいは正味のイオン電荷を持つかどうかは、その置換基に依存する。典型的な陽イオンはアンモニウムイオン及びアルカリ金属イオンであり、一方陰イオンは無機イオンあるいは有機イオンのいずれであってもよい。
陽イオンとしては、たとえば、ナトリウムイオン、カリウムイオン、トリエチルアンモニウムイオン、ピリジニウムイオン、１−エチルピリジニウムイオンであり、陰イオンとしては、たとえば、ハロゲン陰イオン（例えば、塩素イオン、臭素イオン、フッ素イオン、ヨウ素イオン）、置換アリールスルホン酸イオン（例えば、パラトルエンスルホン酸イオン）、アルキル硫酸イオン（例えば、メチル硫酸イオン）、硫酸イオン、過塩素酸イオン、テトラフルオロホウ酸イオン、酢酸イオンなどが挙げられる。
ｋ1 、ｋ2 、ｋ3 は電荷を均衡させるのに必要な数を表わし、分子内で塩を形成する場合に０である。
【００２０】
以下に本発明の一般式（Ｉ）、（II）、（III)で表される化合物の具体例を示すが、本発明はこれに限定されるものではない。
【００２１】
【化７】
0003934183.tif 000005
【００２２】
【化８】
0003934183.tif 000006
【００２３】
【化９】
0003934183.tif 000007
【００２４】
【化１０】
0003934183.tif 000008
【００２５】
本発明の化合物は、たとえば以下の文献記載の方法に準じて合成することができる。
S. S. Malhotra and M. C. Whiting, J. Chem. Soc., 1960年、第3812頁.
一般的には例えば以下のような合成経路で合成される。
【００２６】
【化１１】
0003934183.tif 000009
【００２７】
以下に合成例を示す。
【００２８】
合成例１．（化合物Ｓ−８の合成）
Ｎ−（２，４−ジニトロフェニル）ピリジニウムクロリド2.8gをエタノール30mlに懸濁させ、これにチオモルホリン２ｍｌを添加し、５０℃で２時間加熱攪拌し、冷却後水１００ｍｌを加え、ろ別し、濾液を酢酸エチルエステルと振り混ぜ、水層に過塩素酸ナトリウム水溶液を加えて生じた析出物を濾取する。
得られた粗結晶をエタノールから晶析を繰り返し、目的化合物Ｓ−８を得た。
黄色結晶。λmax ＝417nm（MeOH）
【００２９】
合成例２．（化合物Ｓ−９の合成）
Ｎ−（２，４−ジニトロフェニル）ピリジニウムクロリド2.8gをエタノール30mlに懸濁させ、これにチアゾリジン1.6ｍｌを添加し、室温で２時間加熱攪拌し、冷却後水１００ｍｌを加え、ろ別し、濾液を酢酸エチルエステルと振り混ぜ、水層に過塩素酸ナトリウム水溶液を加えて生じた析出物を濾取する。
得られた粗結晶をエタノールから晶析を繰り返し、目的化合物Ｓ−９を得た。
黄色結晶。λmax ＝418nm (MeOH)
【００３０】
本発明に用いるメチン化合物（又、その他の増感色素についても同様）を本発明のハロゲン化銀乳剤中に添加する時期は、これまで有用である事が認められている乳剤調製の如何なる工程中であってもよい。例えば、米国特許２，７３５，７６６号、同３，６２８，９６０号、同４，１８３，７５６号、同４，２２５，６６６号、特開昭５８−１８４１４２号、同６０−１９６７４９号等に開示されているように、ハロゲン化銀の粒子形成工程または／及び脱塩前の時期、脱塩工程中及び／または脱塩後から化学熟成の開始前迄の時期、特開昭５８−１１３９２０号等に開示されているように、化学熟成の直前または工程中の時期、化学熟成後塗布迄の時期の乳剤が塗布される前なら如何なる時期、工程に於いて添加されても良い。また、米国特許４，２２５，６６６号、特開昭５８−７６２９号等に開示されているように、同一化合物を単独で、または異種構造の化合物と組み合わせて、例えば、粒子形成工程中と化学熟成工程中または化学熟成完了後とに分けたり、化学熟成の前または工程中と完了後とに分けるなどして分割して添加しても良く、分割して添加する化合物及び化合物の組み合わせの種類をも変えて添加されても良い。
【００３１】
本発明に用いる色素の添加量としては、ハロゲン化銀粒子の形状、サイズにより異なるが、ハロゲン化銀１モル当たり、４×１０-6〜８×１０-3モルで用いることができる。例えば、ハロゲン化銀粒子サイズが０．２〜１．３μｍの場合には、ハロゲン化銀１モル当たり、２×１０-6〜３．５×１０-3モルの添加量が好ましく、７．５×１０-6〜１．５×１０-3モルの添加量がより好ましい。
【００３２】
本発明に用いる色素は、直接乳剤中へ分散することができる。また、これらはまず適当な溶媒、例えばメチルアルコール、エチルアルコール、メチルセロソルブ、アセトン、水、ピリジンあるいはこれらの混合溶媒などの中に溶解され、溶液の形で乳剤中へ添加することもできる。この際、塩基や酸、界面活性剤などの添加物を共存させることもできる。また、溶解に超音波を使用することもできる。また、この色素の添加方法としては米国特許第３，４６９，９８７号などに記載のごとき、該化合物を揮発性の有機溶媒に溶解し、該溶液を親水性コロイド中に分散し、この分散物を乳剤中へ添加する方法、特公昭４６−２４１８５号などに記載のごとき、水溶性溶剤中に分散させ、この分散物を乳剤中へ添加する方法、米国特許第３，８２２，１３５号に記載のごとき、界面活性剤にメチン化合物を溶解し、該溶液を乳剤中へ添加する方法、特開昭５１−７４６２４号に記載のごとき、レッドシフトさせる化合物を用いて溶解し、該溶液を乳剤中へ添加する方法、特開昭５０−８０８２６号に記載のごとき、メチン化合物を実質的に水を含まない酸に溶解し、該溶液を乳剤中へ添加する方法などが用いられる。その他、乳剤中への添加には米国特許第２，９１２，３４３号、同３，３４２，６０５号、同２，９９６，２８７号、同３，４２９，８３５号などに記載の方法も用いられる。
【００３３】
また、本発明の色素は、鮮鋭度、色分解能向上などの目的のための種々のフィルター染料、イラジェーション防止染料またはアンチハレーション用染料等として用いることができる。
この色素は慣用の方法でハロゲン化銀写真感光材料層、フィルター層および／またはハレーション防止層などの塗布液に含有させることができる。染料の使用量は写真層を着色させるに充分な量でよく、当業者は容易にこの量を使用目的に応じて適宜選定できる。一般には、光学濃度が０．０５ないし３．０の範囲になるように使用するのが好ましい。
添加時期は塗布される前のいかなる工程でもよい。
また、染料イオンと反対の荷電をもつポリマーを媒染剤として層に共存させ、これを染料分子との相互作用によって、染料を特性層中に局在化させることもできる。
ポリマー媒染剤としては例えば米国特許２，５４８，５６４号、同４，１２４，３８６号、同３，６２５，６９４号、同３，９５８，９９５号、同４，１６８，９７６号、同３，４４５，２３１号に記載されているものなどを挙げることができる。
【００３４】
本発明における分光増感において有用な強色増感剤は、例えば米国特許３，５１１，６６４号、同３，６１５，６１３号、同３，６１５，６３２号、同３，６１５，６４１号、同４，５９６，７６７号、同４，９４５，０３８号、同４，９６５，１８２号、同４，９６５，１８２号等に記載のピリミジルアミノ化合物、トリアジニルアミノ化合物、アゾリウム化合物などであり、その使用法に関しても上記の特許に記載されている方法が好ましい。
【００３５】
本発明のハロゲン化銀乳剤を含むハロゲン化銀感光材料に使用しうるハロゲン化銀は、臭化銀、沃臭化銀、沃塩臭化銀、塩臭化銀および塩化銀のいずれであってもよい。好ましいハロゲン化銀は臭化銀、塩臭化銀、沃塩臭化銀、または特開平２−４２号に記載されている高塩化銀である。
また、以下に感光材料の構成、処理などについて述べるが、特開平２−４２号に記載の構成、処理は特に高塩化銀において好ましく用いられる。
また、特開昭６３−２６４７４３号に記載の構成、処理は特に塩臭化銀において好ましく用いられる。
写真感光材料中のハロゲン化銀粒子は、立方体、１４面体、菱１２面体のような規則的（regular)な結晶体を有するものでもよく、また球状、平板状などのような変則的（irregular)な結晶形をもつもの、あるいはこれらの結晶形の複合形をもつものでもよい。種々の結晶形の粒子の混合から成ってもよい。
【００３６】
ハロゲン化銀粒子は内部と表層とが異なる相をもっていても、均一な相から成っていてもよい。また潜像が主として表面に形成されるような粒子（例えばネガ型感光材料）でもよく、粒子内部に主として形成されるような粒子（例えば、内部潜像型感光材料）、または予めかぶらせた粒子（例えば直接ポジ型感光材料）であってもよい。
前記の種々のハロゲン組成、晶癖、粒子内構造、形状および分布を有するハロゲン化銀粒子は、各種用途の感光性写真材料（要素）に於て使用される。
【００３７】
本発明の色素は、増感剤、増感色素、フィルター、アンチハレーションあるいはイラジェーション防止等の目的で下記の如き用途の感光材料に用いられる。これらの色素は感光性乳剤層以外に、中間層、保護層、バック層など所望の層に添加できる。
本発明の色素は、種々のカラー及び白黒用のハロゲン化銀写真感光材料に用いられる。
さらに詳しくは、カラーポジ用感光材料、カラーペーパー用感光材料、カラーネガ用感光材料、カラー反転用感光材料（カプラーを含む場合もあり、含まぬ場合もある）、直接ポジ用ハロゲン化銀写真感光材料、製版用写真感光材料（例えばリスフィルム、リスデュープフィルムなど）、陰極線管ディスプレイ用感光材料、Ｘ線記録用感光材料（特にスクリーンを用いる直接及び間接撮影用材料）、銀塩拡散転写プロセス（Silver Salt diffusion transfer process) に用いられる感光材料、カラー拡散転写プロセスに用いる感光材料、ダイ・トランスファー・プロセス（imhibition process) に用いる感光材料、銀色素漂白法に用いる感光材料、熱現像用感光材料等に用いられる。
【００３８】
本発明に用いられるハロゲン化銀写真乳剤は、ピー・グラフキデス（P.Glafkides)著「シミー・エ・フィジーク・フォトグラフィーク(Chimie et Physique Photograhique 」（ポールモンテル (Paul Montel)社刊、１９６７年）、ジー・エフ・デフェイン（G.F.Duffin）著「フォトグラフィク・エマルジョン・ケミストリー(Photographic Emulsion Chemistry）」（ザ・フォーカルプレス(The Focal Press) 刊、1966年）、ヴィ・エル・ツエリクマンら（V.L.Zelikman et al．）著「メーキング・アンド・コーティング・フォトグラフィク・エマルジョン（Making and Coating Photographic Emulsion）」（ザ・フォーカルプレス(The Focal Press) 刊、1964年）などに記載された方法を用いて調製することができる。
【００３９】
またハロゲン化銀粒子の形成時には粒子の成長をコントロールするためにハロゲン化銀溶剤として例えばアンモニア、ロダンカリ、ロダンアンモン、チオエーテル化合物（例えば米国特許第３，２７１，１５７号、同３，５７４，６２８号、同３，７０４，１３０号、同４，２９７，４３９号、同４，２７６，３７４号など）、チオン化合物（例えば特開昭５３−１４４３１９号、同５３−８２４０８号、同５５−７７７３７号など）、アミン化合物（例えば特開昭５４−１００７１７号など）などを用いることができる。
ハロゲン化銀粒子形成または物理熟成の過程において、カドミウム塩、亜鉛塩、タリウム塩、イリジウム塩またはその錯塩、ロジウム塩またはその錯塩、鉄塩または鉄錯塩などを共存させてもよい。
本発明に用いられる内部潜像型ハロゲン化銀乳剤としては例えば米国特許２，５９２，２５０号、同３，２０６，３１３号、同３，４４７，９２７号、同３，７６１，２７６号、及び同３，９３５，０１４号等に記載があるコンバージョン型ハロゲン化銀乳剤、コア／シェル型ハロゲン化銀乳剤、異種金属を内蔵させたハロゲン化銀乳剤を挙げることができる。
【００４０】
ハロゲン化銀乳剤は、通常は化学増感される。化学増感のためには、例えば、エイチ・フリーザー（H.Frieser)編「ディ・グランドラーゲン・デア・フォトグラフィッシェン・プロヅェッセ・ミット・ジルベルハロゲニーデン（Die Grundlagen der Photographischen Prozesse mit Silberhalogeniden) 」、アカデミッシェ  フェアラーグス社（Akademische Verlagsgesellschaft)社、（１９６８年）６７５〜７３４頁に記載の方法を用いることができる。
すなわち、活性ゼラチンや銀と反応し得る硫黄を含む化合物（例えば、チオ硫酸塩、チオ尿素類、メルカプト化合物類、ローダニン類）を用いる硫黄増塩感法；セレン増感法；還元性物質（例えば、第一すず塩、アミン類、ヒドラジン誘導体、ホルムアミジンスルフィン酸、シラン化合物）を用いる還元増感法；貴金属化合物（例えば、金錯塩のほか、Ｐｔ、Ｉｒ、Ｐｄなどの周期律表VIII族の金属の錯塩）を用いる貴金属増感法等を単独または組合せて用いることができる。
【００４１】
本発明に用いられる写真感光材料には、感光材料の製造工程、保存中あるいは写真処理中のカブリを防止し、あるいは写真性能を安定化させる目的で、種々の化合物を含有させることができる。すなわちチアゾール類たとえば米国特許第３，９５４，４７８号、同４，９４２，７２１号、特開昭５９−１９１０３２号などに記載されているベンゾチアゾリウム塩、また特公昭５９−２６７３１号に記載されているその開環体、ニトロインダゾール類、トリアゾール類、ベンゾトリアゾール類、ベンズイミダゾール類（特にニトロ−またはハロゲン置換体）；ヘテロ環メルカプト化合物類たとえばメルカプトチアゾール類、メルカプトベンゾチアゾール類、メルカプトベンズイミダゾール類、メルカプトチアジアゾール類、メルカプトテトラゾール類（特に１−フェニル−５−メルカプトテトラゾール）、メルカプトピリミジン類；カルボキシル基やスルホン基などの水溶性基を有する上記のヘテロ環メルカプト化合物類；チオケトン化合物たとえばオキサゾリンチオン；アザインデン類たとえばテトラアザインデン類（特に４−ヒドロキシ置換（１，３，３ａ，７）テトラアザインデン類）；ベンゼンチオスルホン酸類；ベンゼンスルフィン酸；特開昭６２−８７９５７号に記載されているアセチレン化合物等；などのようなカブリ防止剤または安定剤として知られた多くの化合物を加えることができる。
【００４２】
本発明に用いられるハロゲン化銀写真感光材料はシアンカプラー、マゼンタカプラー、イエローカプラーなどのカラーカプラー及びカプラーを分散する化合物を含むことができる。
すなわち発色現像処理において芳香族１級アミン現像薬（例えば、フェニレンジアミン誘導体や、アミノフェノール誘導体など）との酸化カップリングによって発色しうる化合物を含んでもよい。例えば、マゼンタカプラーとして、５−ピラゾロンカプラー、ピラゾロベンズイミダゾールカプラー、シアノアセチルクマロンカプラー、開鎖アシルアセトニトリルカプラー等があり、イエローカプラーとして、アシルアセトアミドカプラー（例えばベンゾイルアセトアニリド類、ピバロイルアセトアニリド類）等があり、シアンカプラーとして、ナフトールカプラーおよびフェノールカプラー等がある。これらのカプラーは分子中にバラスト基とよばれる疎水基を有する非拡散のものが望ましい。カプラーは銀イオンに対し４当量性あるいは２当量性のどちらでもよい。また色補正の効果をもつカラードカプラー、あるいは現像にともなって現像抑制剤を放出するカプラー（いわゆるＤＩＲカプラー）であってもよい。
またＤＩＲカプラー以外にも、カップリング反応の生成物が無色であって現像抑制剤を放出する無呈色ＤＩＲカップリング化合物を含んでもよい。
【００４３】
本発明に用いられる写真感光材料には感度上昇、コントラスト上昇、または現像促進の目的で、例えばポリアルキレンオキシドまたはそのエーテル、エステル、アミンなどの誘導体、チオエーテル化合物、チオモルフォリン類、四級アンモニウム塩化合物、ウレタン誘導体、尿素誘導体、イミダゾール誘導体、３−ピラゾリドン類などを含んでいてもよい。
本発明に用いられるハロゲン化銀感光材料にはフィルター染料として、あるいはイラジェーション防止その他の種々の目的で、本発明のメチン化合物以外に、種々の染料を含んでいてもよい。
この様な染料には、例えば英国特許第５０６，３８５号、同１，１７７，４２９号、同１，３１１，８８４号、同１，３３８，７９９号、同１，３８５，３７１号、同１，４６７，２１４号、同１，４３３，１０２号、同１，５５３，５１６号、特開昭４８−８５１３０号、同４９−１１４４２０号、同５２−１１７１２３号、同５５−１６１２３３号、同５９−１１１６４０号、特公昭３９−２２０６９号、同４３−１３１６８号、同６２−２７３５２７号、米国特許第３，２４７，１２７号、同３，４６９，９８５号、同４，０７８，９３３号等に記載されたピラゾロン核やバルビツール酸核を有するオキソノール染料、米国特許第２，５３３，４７２号、同３，３７９，５３３号、英国特許第１，２７８，６２１号、特開平１−１３４４４７号、同１−１８３６５２号等記載されたその他のオキソノール染料、英国特許第５７５，６９１号、同６８０，６３１号、同５９９，６２３号、同７８６，９０７号、同９０７，１２５号、同１，０４５，６０９号、米国特許第４，２５５，３２６号、特開昭５９−２１１０４３号等に記載されたアゾ染料、特開昭５０−１００１１６号、同５４−１１８２４７号、英国特許第２，０１４，５９８号、同７５０，０３１号等に記載されたアゾメチン染料、米国特許第２，８６５，７５２号に記載されたアントラキノン染料、米国特許第２，５３３，００９号、同２，６８８，５４１号、同２，５３８，００８号、英国特許第５８４，６０９号、同１，２１０，２５２号、特開昭５０−４０６２５号、同５１−３６２３号、同５１−１０９２７号、同５４−１１８２４７号、特公昭４８−３２８６号、同５９−３７３０３号等に記載されたアリーリデン染料、特公昭２８−３０８２号、同４４−１６５９４号、同５９−２８８９８号等に記載されたスチリル染料、英国特許第４４６，５８３号、同１，３３５，４２２号、特開昭５９−２２８２５０号等に記載されたトリアリールメタン染料、英国特許第１，０７５，６５３号、同１，１５３，３４１号、同１，２８４，７３０号、同１，４７５，２２８号、同１，５４２，８０７号等に記載されたメロシアニン染料、米国特許第２，８４３，４８６号、同３，２９４，５３９号、特開平１−２９１２４７号等に記載されたシアニン染料などが挙げられる。
【００４４】
このような染料の拡散を防止するために以下の方法を用いることができる。
例えば、解離したアニオン性染料と反対の電荷をもつ親水性ポリマーを媒染剤として層に共存させ、染料分子との相互作用によって染料を特定層中に局在化させる方法が、米国特許２，５４８，５６４号、同４，１２４，３８６号、同３，６２５，６９４号等に開示されている。
また、水に不溶性の染料固体を用いて特定層を染色する方法が、特開昭５６−１２６３９号、同５５−１５５３５０号、同５５−１５５３５１号、同６３−２７８３８号、同６３−１９７９４３号、欧州特許第１５，６０１号等に開示されている。
また、染料が吸着した金属塩微粒子を用いて特定層を染色する方法が米国特許第２，７１９，０８８号、同２，４９６，８４１号、同２，４９６，８４３号、特開昭６０−４５２３７号等に開示されている。
【００４５】
本発明に用いられる写真感光材料には塗布助剤、帯電防止、スベリ性改良、乳化分散、接着防止および写真特性改良（たとえば現像促進、硬調化、増感）など種々の目的で種々の界面活性剤を含んでもよい。
本発明を実施するに際しては、その他添加剤がハロゲン化銀乳剤または他の親水性コロイドと共に用いられる、例えば、退色防止剤、無機もしくは有機の硬膜剤、色カブリ防止剤、紫外線吸収剤、媒染剤、可塑剤、ラテックスポリマー、マット剤などを挙げることができる。具体的には、リサーチディスクロージャー（Research Disclosure)Vol.１７６（１９７８、XI）、Ｄ−１７６４３などに記載されている。
また、本発明に用いられる写真感光材料には、保護コロイドとしてゼラチン等の親水性ポリマーが用いられる。
完成（finished) ハロゲン化銀乳剤等は、適切な支持体、例えばバライタ紙、レジンコート紙、合成紙、トリアセテートフィルム、ポリエチレンテレフタレートフィルム、その他のプラスチックベースまたはガラス板の上に塗布される。
【００４６】
写真像を得るための露光は通常の方法を用いて行なえばよい。すなわち、自然光（日光）、タングステン電灯、蛍光灯、水銀灯、キセノンアーク灯、炭素アーク灯、キセノンフラッシュ灯、陰極線管フライングスポットなどの公知の多種の光源をいずれでも用いることができる。露光時間は通常カメラで用いられる１／１０００秒から１秒の露光時間はもちろん、１／１０００秒より短い露光、たとえばキセノン閃光灯や陰極線管を用いた１／１０4 〜１／１０6 秒の露光を用いることもできるし、１秒より長い露光を用いることもできる。必要に応じて色フィルターで露光に用いられる光の分光組成を調節することができる。露光にレーザー光を用いることもできる。また電子線、Ｘ線、γ線、α線などによって励起された蛍光体から放出する光によって露光されてもよい。
本発明を用いて作られる感光材料の写真処理には、例えばリサーチ・ディスクロージャー（Research Disclosure)１７６号第２８〜３０頁（ＲＤ−１７６４３）に記載されているような、公知の方法及び公知の処理液のいずれをも適用することができる。この写真処理は、目的に応じて、銀画像を形成する写真処理（黒白写真処理）、あるいは色素像を形成する写真処理（カラー写真処理）のいずれであってもよい。処理温度は普通１８℃から５０℃の間に選ばれるが、１８℃より低い温度または５０℃を越える温度としてもよい。
【００４７】
本発明で用いてもよい磁気記録を担持したハロゲン化銀写真感光材料（以下「感材」ともいう。）は、特開平６−３５１１８、特開平６−１７５２８、発明協会公開技報９４−６０２３に詳細に記載される予め熱処理したポリエステルの薄層支持体、例えば、ポリエチレン芳香族ジカルボキシレート系ポリエステル支持体で、５０μｍ〜３００μｍ、好ましくは５０μｍ〜２００μｍ、より好ましくは８０〜１１５μｍ、特に好ましくは８５〜１０５μｍを４０℃以上、ガラス転移点温度以下の温度で１〜１５００時間熱処理（アニール）し、特公昭４３−２６０３、特公昭４３−２６０４、特公昭４５−３８２８記載の紫外線照射、特公昭４８−５０４３、特開昭５１−１３１５７６等に記載のコロナ放電、特公昭３５−７５７８、特公昭４６−４３４８０記載のグロー放電等の表面処理し、米国特許第５，３２６，６８９に記載の下塗りを行い必要に応じ米国特許第２，７６１，７９１に記載された下引き層を設け、特開昭５９−２３５０５、特開平４−１９５７２６、特開平６−５９３５７記載の強磁性体粒子を塗布すれば良い。
なお、上述した磁性層は特開平４−１２４６４２、特開平４−１２４６４５に記載されたストライプ状でも良い。
更に、必要に応じ、特開平４−６２５４３の帯電防止処理をし、最後にハロゲン化銀乳剤を塗布した物を用いる。ここで用いるハロゲン化銀乳剤は特開平４−１６６９３２、特開平３−４１４３６、特開平３−４１４３７を用いる。
こうして作る感材は特公平４−８６８１７記載の製造管理方法で製造し、特公平６−８７１４６記載の方法で製造データを記録するのが好ましい。その後、またはその前に、特開平４−１２５５６０に記載される方法に従って、従来の１３５サイズよりも細幅のフィルムにカットし、従来よりも小さいフォーマット画面にマッチするようにパーフォレーションを小フォーマット画面当たり片側２穴せん孔する。
こうして出来たフィルムは特開平４−１５７４５９のカートリッジ包装体や特開平５−２１０２０２実施例の図９記載のカートリッジ、または米国特許第４，２２１，４７９のフィルムパトローネや米国特許第４，８３４，３０６、ＵＳ４，８３４，３６６、米国特許第５，２２６，６１３、米国特許第４，８４６，４１８記載のカートリッジに入れて使用する。
ここで用いるフィルムカートリッジまたはフィルムパトローネは米国特許第４，８４８，６９３、米国特許第５，３１７，３５５の様にベロが収納できるタイプが光遮光性の観点で好ましい。
さらには、米国特許第５，２９６，８８６の様なロック機構を持ったカートリッジや米国特許第５，３４７，３３４に記載される使用状態が表示されるカートリッジ、二重露光防止機能を有するカートリッジが好ましい。
また、特開平６−８５１２８に記載の様にフィルムを単にカートリッジに差し込むだけで容易にフィルムが装着されるカートリッジを用いても良い。
こうして作られたフィルムカートリッジは次に述べるカメラや現像機、ラボ機器を用いて合目的に撮影、現像処理、色々な写真の楽しみ方に使用できる。
例えば、特開平６−８８８６、特開平６−９９９０８に記載の簡易装填式のカメラや特開平６−５７３９８、特開平６−１０１１３５記載の自動巻き上げ式カメラや特開平６−２０５６９０に記載の撮影途中でフィルムの種類を取り出し交換できるカメラや特開平５−２９３１３８、特開平５−２８３３８２に記載の撮影時の情報、例えば、パノラマ撮影、ハイヴィション撮影、通常撮影（プリントアスペクト比選択の出来る磁気記録可能）をフィルムに磁気記録出来るカメラや特開平６−１０１１９４に記載の二重露光防止機能を有するカメラや特開平５−１５０５７７に記載のフィルム等の使用状態表示機能の付いたカメラなどを用いるとフィルムカートリッジ（パトローネ）の機能を充分発揮できる。
この様にして撮影されたフィルムは特開平６−２２２５１４、特開平６−２２２５４５に記載の自現機で処理するか、処理の前または最中または後で特開平６−９５２６５、特開平４−１２３０５４に記載のフィルム上の磁気記録の利用法を用いても良いし、特開平５−１９３６４記載のアスペクト比選択機能を利用しても良い。
現像処理する際シネ型現像であれば、特開平５−１１９４６１記載の方法でスプライスして処理する。
また、現像処理する際または後、特開平６−１４８８０５記載のアッタヂ、デタッチ処理する。
こうして処理した後で、特開平２−１８４８３５、特開平４−１８６３３５、特開平６−７９９６８に記載の方法でカラーペーパーへのバックプリント、フロントプリントを経てフィルム情報をプリントへ変換しても良い。
更には、特開平５−１１３５３、特開平５−２３２５９４に記載のインデックスプリント及び返却カートリッジと共に顧客に返却しても良い。
【００４８】
【実施例】
次に実施例により本発明を更に詳細に説明するが、本発明の実施態様はこれに限定されるものではない。
実施例１
八面体の結晶形をもち、純臭化銀から成る硫黄増感したハロゲン化銀乳剤を調製した。この乳剤に含まれるハロゲン化銀粒子の平均直径は０．８μｍで乳剤１kg中に０．７５モルのハロゲン化銀が含有された。この乳剤を１kgづつポットに秤取し表−１に示すように増感色素を添加し４０℃のもとで混合攪拌した。更に４−ヒドロキシ−６−メチル−１，３，３ａ，７−テトラアザインデンを０．１ｇ／乳剤１kg、２，４−ジクロロ−６−ヒドロキシ−１，３，５−トリアジンソーダを０．１ｇ／乳剤１kg、ドデシルベンゼンスルホン酸ソーダ０．１ｇ／乳剤１kgを順次加えた後、ポリエチレンテレフタレートフィルムベース上に塗布銀量１．９０ｇ／m2、塗布ゼラチン量３．５ｇ／m2になるように塗布して写真感光材料を得た。
【００４９】
これらの試料夫々に青色フィルター（３８０nmから４５５nmまでの光を透過するバンドパスフィルター）、及び黄色フィルター（４６０nmより長波長の光を透過するフィルター）を用いてタングステン光（５４００°Ｋ）で１秒間、光楔露光した。
【００５０】
露光後、下記の組成の現像液を用いて２０℃で４分間現像した。現像処理したフィルムを富士写真フイルム社製の濃度計を用いて、濃度測定し、黄色フィルター感度（Ｓｙ：分光感度）と青色フィルター感度（ＳＢ：固有感度）とカブリとを求めた。
【００５１】
感度を決定した光学濃度の基準点は〔カブリ＋０．２〕の点であった。表−１のＳｙはＳＲ−１の添加量１．１×１０-3モル／kg乳剤のときの分光感度を１００として相対感度を求めた。またＳＢは増感色素を含まない乳剤を１００としたときの相対感度を求めた。
【００５２】
現像液の組成
水                                                    ７００ml
メトール                                              ３．１ｇ
無水亜硫酸ナトリウム                                    ４５ｇ
ハイドロキノン                                          １２ｇ
炭酸ナトリウム（一水塩）                                ７９ｇ
臭化カリウム                                          １．９ｇ
水を加えて１リットルとする。使用に際し水２容を加えて使用液とする。得られた結果を相対的な値として第１表に示す。表−１に見られる通り、本発明の化合物を用いた場合、固有感度、分光感度ともに高い。
【００５３】
【表１】
0003934183.tif 000010
【００５４】
【発明の効果】
本発明の化合物は従来の化合物よりも、増感色素として用いた場合の感度が高い。